(57)【特許請求の範囲】
【請求項１】
荷重のかかる箇所に配設される電線と前記電線に外装されるプロテクタとを備えるプロテクタ付電線であって、
前記プロテクタは、複数の板状部分と前記複数の板状部分の間で一方に延在するように配設されて前記複数の板状部分の間に中空空間を形成する介在部分とを含む中空板材が折り曲がった状態に形成されると共に前記電線を覆う壁部を複数備え、
複数の前記壁部は、前記介在部分の延在方向が、前記荷重がかかる方向を含む方向に沿うように設けられた少なくとも１つの耐荷重壁部を含み、
前記プロテクタは筒状に形成され、前記プロテクタには前記プロテクタが配設される箇所に設けられた相手側部材に突設されたロック部とロック可能な被ロック部が設けられており、
前記耐荷重壁部は、前記中空板材が２重に設けられている部分を含み、２重に設けられている前記中空板材の一方に前記被ロック部が設けられている、プロテクタ付電線。
【請求項２】
請求項１に記載のプロテクタ付電線であって、
複数の前記壁部は、互いに平行でない２つの前記耐荷重壁部を含む、プロテクタ付電線。
【請求項３】
請求項２に記載のプロテクタ付電線であって、
前記プロテクタは三角筒状に形成されている、プロテクタ付電線。
【請求項４】
請求項１から請求項３のいずれか１項に記載のプロテクタ付電線であって、
前記耐荷重壁部に、前記プロテクタが配設される箇所に突設された第１ロック部とロック可能な第１被ロック部が設けられ、
前記第１被ロック部は、前記耐荷重壁部が前記第１ロック部によって荷重がかかる方向に支持されるように前記第１ロック部とロック可能に形成されている、プロテクタ付電線。
【請求項５】
請求項４に記載のプロテクタ付電線であって、
前記第１被ロック部は、前記第１ロック部のロック爪が前記耐荷重壁部に対して前記介在部分の延在方向を横切りつつ前記介在部分の延在方向に引っ掛かるように形成された引掛り部を含む、プロテクタ付電線。
【請求項６】
請求項４又は請求項５に記載のプロテクタ付電線であって、
前記プロテクタに前記第１被ロック部に対して前記電線を挟んで反対側に第２被ロック部が設けられ、
前記第２被ロック部は、前記プロテクタが配設される箇所に突設され、前記第１ロック部と共に前記プロテクタを挟み込み可能な第２ロック部とロック可能である、プロテクタ付電線。
【請求項７】
請求項１から請求項６のいずれか１項に記載のプロテクタ付電線であって、
前記耐荷重壁部は、前記介在部分の延在方向が、前記荷重がかかる方向と一致するように設けられた垂直壁部を含む、プロテクタ付電線。
【請求項８】
荷重のかかる箇所に配設される電線と前記電線に外装されるプロテクタとを備えるプロテクタ付電線であって、
前記プロテクタは、複数の板状部分と前記複数の板状部分の間で一方に延在するように配設されて前記複数の板状部分の間に中空空間を形成する介在部分とを含む中空板材が折り曲がった状態に形成されると共に前記電線を覆う壁部を複数備え、
複数の前記壁部は、前記介在部分の延在方向が、前記荷重がかかる方向を含む方向に沿うように設けられた少なくとも１つの耐荷重壁部を含み、
前記耐荷重壁部に、前記プロテクタが配設される箇所に突設された第１ロック部とロック可能な第１被ロック部が設けられ、
前記第１被ロック部は、前記耐荷重壁部が前記第１ロック部によって荷重がかかる方向に支持されるように前記第１ロック部とロック可能に形成され、
前記プロテクタに前記第１被ロック部に対して前記電線を挟んで反対側に第２被ロック部が設けられ、
前記第２被ロック部は、前記プロテクタが配設される箇所に突設され、前記第１ロック部と共に前記プロテクタを挟み込み可能な第２ロック部とロック可能である、プロテクタ付電線。
【請求項９】
電線と前記電線に外装されるプロテクタとを備えるプロテクタ付電線が荷重のかかる箇所に配設されたプロテクタ付電線の配設構造であって、
前記プロテクタは、複数の板状部分と前記複数の板状部分の間で一方に延在するように配設されて前記複数の板状部分の間に中空空間を形成する介在部分とを含む中空板材が折り曲がった状態に形成されると共に前記電線を覆う壁部を複数備え、
複数の前記壁部は、前記介在部分の延在方向が、前記荷重がかかる方向を含む方向に沿うように設けられた少なくとも１つの耐荷重壁部を含み、
前記プロテクタは筒状に形成され、前記プロテクタには前記プロテクタが配設される箇所に設けられた相手側部材に突設されたロック部とロック可能な被ロック部が設けられており、
前記耐荷重壁部は、前記中空板材が２重に設けられている部分を含み、２重に設けられている前記中空板材の一方に前記被ロック部が設けられている、プロテクタ付電線の配設構造。
【発明の詳細な説明】
【技術分野】
【０００１】
この発明は、電線に取付けられるプロテクタに関する。
【背景技術】
【０００２】
特許文献１は、直線状に敷設される電線束を配設経路に整合する直線状に支持する電線支持部材として、中空部の延在方向が配設経路の延在方向と一致するように裁断されたプラスチック段ボールシートを使用することを開示されている。
【０００３】
車両に搭載されるワイヤーハーネスでは、人又は荷物等の荷重がかかる場所に配設される電線が存在する。このような電線には、通常荷重のかかる方向と交差する方向に延びるように配設される部分が存在する。
【先行技術文献】
【特許文献】
【０００４】
【特許文献１】特開２０１４−１１７０９９号公報
【発明の概要】
【発明が解決しようとする課題】
【０００５】
しかしながら、上記のように荷重のかかる箇所に特許文献１に記載のワイヤーハーネスを適用した場合、中空部の延在方向が荷重のかかる方向と交差する方向に設定されるため、荷重を支え切れない恐れが生じる。
【０００６】
そこで、本発明は、中空板材を材料として形成され、荷重のかかる場所に配設される電線に外装されるプロテクタにおいて、潰れにくくすることができる技術を提供することを目的とする。
【課題を解決するための手段】
【０００７】
上記課題を解決するため、第１の態様に係るプロテクタ付電線は、荷重のかかる箇所に配設される電線と前記電線に外装されるプロテクタとを備えるプロテクタ付電線であって、前記プロテクタは、複数の板状部分と前記複数の板状部分の間で一方に延在するように配設されて前記複数の板状部分の間に中空空間を形成する介在部分とを含む中空板材が折り曲がった状態に形成されると共に前記電線を覆う壁部を複数備え、複数の前記壁部は、前記介在部分の延在方向が、前記荷重がかかる方向を含む方向に沿うように設けられた少なくとも１つの耐荷重壁部を含み、前記プロテクタは筒状に形成され、前記プロテクタには前記プロテクタが配設される箇所に設けられた相手側部材に突設されたロック部とロック可能な被ロック部が設けられており、前記耐荷重壁部は、前記中空板材が２重に設けられている部分を含み、２重に設けられている前記中空板材の一方に前記被ロック部が設けられている。
【０００８】
第２の態様に係るプロテクタ付電線は、第１の態様に係るプロテクタ付電線であって、複数の前記壁部は、互いに平行でない２つの前記耐荷重壁部を含む。
【０００９】
第３の態様に係るプロテクタ付電線は、第２の態様に係るプロテクタ付電線であって、前記プロテクタは三角筒状に形成されている。
【００１０】
第４の態様に係るプロテクタ付電線は、第１から第３のいずれか１つの態様に係るプロテクタ付電線であって、前記耐荷重壁部に、前記プロテクタが配設される箇所に突設された第１ロック部とロック可能な第１被ロック部が設けられ、前記第１被ロック部は、前記耐荷重壁部が前記第１ロック部によって荷重がかかる方向に支持されるように前記第１ロック部とロック可能に形成されている。
【００１１】
第５の態様に係るプロテクタ付電線は、第４の態様に係るプロテクタ付電線であって、前記第１被ロック部は、前記第１ロック部のロック爪が前記耐荷重壁部に対して前記介在部分の延在方向を横切りつつ前記介在部分の延在方向に引っ掛かるように形成された引掛り部を含む。
【００１２】
第６の態様に係るプロテクタ付電線は、第４又は第５の態様に係るプロテクタ付電線であって、前記プロテクタに前記第１被ロック部に対して前記電線を挟んで反対側に第２被ロック部が設けられ、前記第２被ロック部は、前記プロテクタが配設される箇所に突設され、前記第１ロック部と共に前記プロテクタを挟み込み可能な第２ロック部とロック可能である。
【００１３】
第７の態様に係るプロテクタ付電線は、第１から第６のいずれか１つの態様に係るプロテクタ付電線であって、前記耐荷重壁部は、前記介在部分の延在方向が、前記荷重がかかる方向と一致するように設けられた垂直壁部を含む。
【００１４】
第８の態様に係るプロテクタ付電線は、荷重のかかる箇所に配設される電線と前記電線に外装されるプロテクタとを備えるプロテクタ付電線であって、前記プロテクタは、複数の板状部分と前記複数の板状部分の間で一方に延在するように配設されて前記複数の板状部分の間に中空空間を形成する介在部分とを含む中空板材が折り曲がった状態に形成されると共に前記電線を覆う壁部を複数備え、複数の前記壁部は、前記介在部分の延在方向が、前記荷重がかかる方向を含む方向に沿うように設けられた少なくとも１つの耐荷重壁部を含み、前記耐荷重壁部に、前記プロテクタが配設される箇所に突設された第１ロック部とロック可能な第１被ロック部が設けられ、前記第１被ロック部は、前記耐荷重壁部が前記第１ロック部によって荷重がかかる方向に支持されるように前記第１ロック部とロック可能に形成され、前記プロテクタに前記第１被ロック部に対して前記電線を挟んで反対側に第２被ロック部が設けられ、前記第２被ロック部は、前記プロテクタが配設される箇所に突設され、前記第１ロック部と共に前記プロテクタを挟み込み可能な第２ロック部とロック可能である。
【００１５】
第９の態様に係るプロテクタ付電線の配設構造は、電線と前記電線に外装されるプロテクタとを備えるプロテクタ付電線が荷重のかかる箇所に配設されたプロテクタ付電線の配設構造であって、前記プロテクタは、複数の板状部分と前記複数の板状部分の間で一方に延在するように配設されて前記複数の板状部分の間に中空空間を形成する介在部分とを含む中空板材が折り曲がった状態に形成されると共に前記電線を覆う壁部を複数備え、複数の前記壁部は、前記介在部分の延在方向が、前記荷重がかかる方向を含む方向に沿うように設けられた少なくとも１つの耐荷重壁部を含み、前記プロテクタは筒状に形成され、前記プロテクタには前記プロテクタが配設される箇所に設けられた相手側部材に突設されたロック部とロック可能な被ロック部が設けられており、前記耐荷重壁部は、前記中空板材が２重に設けられている部分を含み、２重に設けられている前記中空板材の一方に前記被ロック部が設けられている。
【発明の効果】
【００１６】
第１から第８の態様によると、耐荷重壁部において介在部分の延在方向が、荷重がかかる方向を含む方向に沿うため、荷重がかかった場合でも耐荷重壁部が潰れにくくなることによって、プロテクタが潰れにくくなる。
【００１７】
特に、第２の態様によると、互いに平行でない２つの耐荷重壁部によって荷重を支えることができる。
【００１８】
特に、第３の態様によると、プロテクタは三角筒状に形成されているため、荷重がかかった場合でも耐荷重壁部が回動するような変形が生じにくくなることによって、プロテクタがつぶれにくくなる。
【００１９】
特に、第４の態様によると、第１ロック部と第１被ロック部とがロックすることによって、耐荷重壁部が第１ロック部に支持される。このため、荷重がかかった場合でも耐荷重壁部がよりつぶれにくくなる。
【００２０】
特に、第５の態様によると、第１被ロック部が、第１ロック部のロック爪が耐荷重壁部に対して介在部分の延在方向を横切りつつ介在部分の延在方向に引っ掛かるように形成された引掛り部を含むため、第１ロック部と第１被ロック部とをロックしてもプロテクタが変形し難くなる。
【００２１】
特に、第６、第８の態様によると、第１ロック部と第１被ロック部とがロックすると共に、第２ロック部と第２被ロック部とがロックすることによって、プロテクタが第１ロック部と第２ロック部とに挟み込まれる。このため、荷重がかかった場合でもプロテクタが変形し難くなる。
【００２２】
特に、第７の態様によると、垂直壁部において介在部分の延在方向が、荷重がかかる方向と一致するように設けられているため、荷重がかかった場合でも垂直壁部はつぶれにくい。
【００２３】
特に、第１から第７の態様によると、耐荷重壁部は、中空板材が２重に設けられている部分を含むため、荷重がかかった場合でも耐荷重壁部がよりつぶれにくくなる。
【００２４】
第９の態様によると、耐荷重壁部において介在部分の延在方向が、荷重がかかる方向を含む方向に沿うため、荷重がかかった場合でも耐荷重壁部は、つぶれにくい。
【図面の簡単な説明】
【００２５】
【図１】実施形態に係るプロテクタ付電線及びその配設構造を示す正面図である。
【図２】実施形態に係るプロテクタ付電線及びその配設構造を示す側面図である。
【図３】実施形態に係るプロテクタ付電線及びその配設構造を示す平面図である。
【図４】図２のＩＶ−ＩＶ線に沿って切断した断面図である。
【図５】実施形態に係るプロテクタを示す正面図である。
【図６】実施形態に係るプロテクタを示す側面図である。
【図７】実施形態に係るプロテクタを示す平面図である。
【図８】図６のＶＩＩＩ−ＶＩＩＩ線に沿って切断した断面図である。
【図９】中空板材を示す斜視図である。
【図１０】実施形態に係るプロテクタを展開した様子を示す図である。
【図１１】取付用部材を示す正面図である。
【図１２】取付用部材を示す側面図である。
【図１３】取付用部材を示す平面図である。
【発明を実施するための形態】
【００２６】
｛実施形態｝
以下、実施形態に係るプロテクタ付電線及びその配設構造について説明する。図１は、図１は、実施形態に係るプロテクタ付電線及びその配設構造を示す正面図である。図２は、実施形態に係るプロテクタ付電線及びその配設構造を示す側面図である。図３は、実施形態に係るプロテクタ付電線及びその配設構造を示す平面図である。図４は、図２のＩＶ−ＩＶ線に沿って切断した断面図である。
【００２７】
プロテクタ付電線２０は、電線２２と電線２２に外装されるプロテクタ３０とを備える。プロテクタ付電線２０が車両において荷重のかかる箇所に配設されてプロテクタ付電線の配設構造１０をなしている。車両において荷重のかかる箇所としては、例えば、乗員に踏まれる箇所又は物が載置される箇所などが考えられる。
【００２８】
電線２２は、少なくとも１本含まれていればよい。本実施形態では、プロテクタ付電線２０が、複数の電線２２を含む電線２２の束を備える場合を説明する。各電線２２は、例えば、芯線と、芯線の周囲に形成された被覆とを備える。芯線は、銅、銅合金、アルミニウム、アルミニウム合金等の導電性材料によって線状に形成されている。ここでは、芯線は、複数の素線が撚り合わされた構成とされている。もっとも、芯線は、単線によって構成されていてもよい。被覆は、絶縁性樹脂材料が押出装置等により芯線の周りに押し出されることによって形成される。電線２２の端部には、コネクタ等が接続される。電線２２は、車両等の配設対象箇所に配設された状態で、コネクタ等を介して車両等に搭載された各種電気機器に接続される。そして各種電気機器同士を電気的に接続するものとして用いられる。なお、ここでは、複数の電線２２が束ねられているものとして説明するが、電線２２は、束ねられていない場合もあり得る。
【００２９】
プロテクタ３０について、図１乃至図４に加えて図５乃至図８を参照しつつ詳述する。図５は、実施形態に係るプロテクタ３０を示す正面図である。図６は、実施形態に係るプロテクタ３０を示す側面図である。図７は、実施形態に係るプロテクタ３０を示す平面図である。図８は、図６のＶＩＩＩ−ＶＩＩＩ線に沿って切断した断面図である。
【００３０】
プロテクタ３０は、中空板材３２を材料として形成されている。中空板材３２について図９を参照しつつ詳述する。図９は、中空板材３２を示す斜視図である。
【００３１】
中空板材３２は、複数（ここでは２つ）の板状部分３３と、複数の板状部分３３の間に配設されて複数の板状部分３３の間に中空空間を形成する介在部分３４とを含む。
【００３２】
複数の板状部分３３及び介在部分３４を形成する材質は特に限定されない。即ち、複数の板状部分３３及び介在部分３４は、紙によって形成されていてもよいし、樹脂によって形成されていてもよいし、また、これらの組み合わせによって構成されていてもよい。複数の板状部分３３及び介在部分３４の少なくとも１つを紙によって形成する場合には、その表面に撥水処理等を施すことが好ましい。中空板材３２は、例えば、樹脂で構成された部材であることが考えられる。
【００３３】
板状部分３３は、平板状に形成されている。複数の板状部分３３が介在部分３４を介して間隔をあけた状態で連結されている。
【００３４】
ここでは、複数の板状部分３３の間に、複数の介在部分３４が相互間に間隔をあけた並列状態で設けられている。
【００３５】
各介在部分３４は、細長い板状に形成されており、両側の板状部分３３に対して直交する姿勢で、当該板状部分３３に対して繋がっている。
【００３６】
このため、中空板材３２を、介在部分３４の延在方向に対して直交する面で切断すると、一対の板状部分３３の間に複数の介在部分３４が並列状に存在するはしご状断面を示す。
【００３７】
このような中空板材３２は、例えば、はしご状断面に応じた押出孔から樹脂を押出す押出成型装置によって、連続的に製造することができ、これにより、中空板材３２を容易に低コストで製造することができる。或いは、並列状態に配設される複数の介在部分３４の両側部に、２つの板状部分３３を熱溶着、接着剤等で接合することによっても、中空板材３２を製造することができる。
【００３８】
中空構造を有する板材の例は上記例に限られない。例えば、板材は、複数の板状部の間に、山部と谷部とが波状に連続する介在部が挟込まれた構成であってもよい。或は、板材は、複数の板状部の間に存在する介在部が三角柱等の多角柱状の中空形状を形成するものであってもよく、特に、ハニカム構造を形成するものであってもよい。
【００３９】
これらの中空構造を有する板材のうち樹脂によって形成されたものは、プラスチックダンボールと呼ばれることもある。
【００４０】
プロテクタ３０を形成するための材料として中空板材３２を採用することにより、以下の利点を得ることができる。即ち、中空板材３２は、複数の介在部分３４が間隙を設けて並列に配置されているため、介在部分３４の延在方向に沿って曲がり難い反面、介在部分３４の並列方向に沿って曲がり易い。この際に、中空板材３２は、介在部分３４を挟み込む一方の板状部分３３のうち介在部分３４と接していない部分に介在部分３４の延在方向に沿ってスリットを設けることで、他方の板状部分３３のうちスリットに対向する部分を折り目としてさらに曲がり易くなる。また、中空構造を形成する構造体によって、中空板材３２の強度は優れたものとなっている。さらに、中空板材３２は、中空構造を有するため、強度の割に比較的軽量である。また、中空板材３２に使用される材料も、強度の割に少ない。このため、材料費を抑えることができる。
【００４１】
プロテクタ３０は、中空板材３２が折り曲がった状態に形成されている。プロテクタ３０は、電線２２を覆う壁部３６を複数備える。
【００４２】
複数の壁部３６は、少なくとも１つの耐荷重壁部４０、５０を含む。ここでは、複数の壁部３６は、互いに平行でない２つの耐荷重壁部４０、５０を含む。耐荷重壁部４０、５０は、介在部分３４の延在方向が、荷重がかかる方向を含む方向に沿うように設けられている。耐荷重壁部４０、５０は、介在部分３４の延在方向が、荷重がかかる方向と一致するように設けられた垂直壁部４０を含む。耐荷重壁部４０、５０は、中空板材３２が２重に設けられている部分を含む。
【００４３】
具体的には、プロテクタ３０は三角筒状に形成されている。ここでは、プロテクタ３０は断面直角三角形状に形成されている。直角三角形の斜辺を構成する壁部３６と、直角三角形の他の一辺を構成する壁部３６とが耐荷重壁部４０、５０とされる。耐荷重壁部４０、５０のうち直角三角形の斜辺でない辺を構成する耐荷重壁部４０が、垂直壁部４０とされる。ここでは、垂直壁部４０において、中空板材３２が２重に設けられている部分が存在する。また、直角三角形の残りの一辺を構成する壁部３６が底壁部６０とされる。以下では、図１に示すように、直角三角形における底壁部６０の延在方向をｘ軸方向、ｘ軸方向に直交し且つ相互に直交する２方向をｙ軸方向及びｚ軸方向とし、特に、直角三角形における垂直壁部４０の延在方向をｚ軸方向とする。荷重は、ｚ軸方向負の向きにかかるものとして説明する。もっとも、荷重は、ｚ軸方向負の向きから若干傾斜した向きにかかることもあり得る。以下では、ｚ軸方向が鉛直方向に沿った方向であるものとして説明する。
【００４４】
底壁部６０は、垂直壁部４０に対してｚ軸方向負の側に位置する。中空板材３２が２重となっている垂直壁部４０において、一方の中空板材３２は底壁部６０に連なり、他方の中空板材３２は耐荷重壁部５０に連なる。そして、他方の中空板材３２が外面側に位置する。つまり、垂直壁部４０は、内側部分４１ａと外側部分４１ｂとを含む。内側部分４１ａが底壁部６０に連なっている。外側部分４１ｂが耐荷重壁部５０に連なっている。
【００４５】
プロテクタ３０には、第１被ロック部４２及び第２被ロック部５２が設けられている。第１被ロック部４２及び第２被ロック部５２については、第１ロック部８２及び第２ロック部８６と共に詳しくは、後述する。
【００４６】
中空板材３２を用いてプロテクタ３０を製造するには、まず、中空板材３２を図１０に示すようにプロテクタ３０の形状に応じた形状に裁断する。その後、裁断した中空板材３２を所定の位置で折り曲げる。なお、折り曲げる部分には、折り曲げる前に予め折り目Ｌが設けられているとよい。図１０では、折り目Ｌが仮想線（二点鎖線）で示されている。折り目Ｌとしては、例えば、一方の板状部分３３及び介在部分３４を切断することが考えられる。また、例えば、熱プレスを線状にかけて介在部分３４を潰すことが考えられる。
【００４７】
中空板材３２を折り目Ｌに沿って折り曲げることで三角筒状を呈しプロテクタ３０をなす。三角筒状を維持するには、プロテクタ３０のうち例えば後述する引掛り部４３、５３以外の部分などにテープを巻くことが考えられる。もっとも内側部分４１ａの外面と外側部分４１ｂの内面とを両面テープまたは接着剤等で貼り合わせてもよい。また、プロテクタ３０に後述するロック爪８４及び引掛り部４３のような引掛り構造を設けてもよい。
【００４８】
プロテクタ付電線２０を配設するに当たって、ここでは、プロテクタ付電線２０には規制部材７０が取付けられている。規制部材７０について図１１乃至図１３を参照しつつ詳述する。
【００４９】
規制部材７０は、プロテクタ付電線２０の上方を覆うように設けられる。規制部材７０は、本体部７２と、ロック部８０と、リブ９０とを備える。
【００５０】
本体部７２は、ｘｚ平面に沿って切断した断面においてｚ軸方向から僅かに傾斜しつつ延びる第１面部７４と、ｘ軸方向に延びる第２面部７６と、第１面部７４と第２面部７６とを緩やかに連結する連結面部７８とを含む。
【００５１】
ロック部８０は、第１ロック部８２と第２ロック部８６とを含む。第１ロック部８２は第１被ロック部４２とロック可能に設けられている。第２ロック部８６は、第２被ロック部５２とロック可能に設けられている。ここで、第１ロック部８２と第１被ロック部４２とのロック構造、及び第２ロック部８６と第２被ロック部５２とのロック構造について詳述する。
【００５２】
第１ロック部８２は、プロテクタ３０が配設される箇所に突設されている。具体的には、第１ロック部８２は、第２面部７６のうち連結面部７８とは反対側の端部に設けられている。第１ロック部８２は、ｚ軸方向に沿って延びる基部８３と基部８３の先端からｘ軸方向負の側に突出するロック爪８４とを含む。第１ロック部８２の基部８３は、垂直壁部４０を構成する外側部分４１ｂの外面に当接している。
【００５３】
垂直壁部４０に、第１ロック部８２とロック可能な第１被ロック部４２が設けられている。第１被ロック部４２は、垂直壁部４０が第１ロック部８２によって荷重がかかる方向に対して支持されるように第１ロック部８２とロック可能に形成されている。
【００５４】
より詳細には、第１ロック部８２のロック爪８４は、第１被ロック部４２の引掛り部４３に引っかかる。引掛り部４３は、垂直壁部４０に凹部４４が形成されることによって形成されている。凹部４４は、垂直壁部４０を構成する外側部分４１ｂのうちｙ軸方向に沿った中間部分がｚ軸方向に凹むように形成されている。従って、ロック爪８４は、垂直壁部４０に対して介在部分３４の延在方向を横切りつつ介在部分３４の延在方向に引っ掛かる。ここでは、ロック爪８４は、ｘ軸方向に突出しつつｚ軸方向に引っ掛かる。
【００５５】
第２ロック部８６は、プロテクタ３０が配設される箇所に突設されている。第２ロック部８６は、第１ロック部８２と共にプロテクタ３０を挟み込み可能に設けられている。具体的には、第２ロック部８６は、連結面部７８のうち第２面部７６側に設けられている。第２ロック部８６は、ｚ軸方向に沿って延びる基部８７と基部８７の先端からｘ軸方向正の側に突出するロック爪８８とを含む。第２ロック部８６は、耐荷重壁部５０に設けられた第２被ロック部５２とロックする。この際、第２ロック部８６は、耐荷重壁部５０のうち底壁部６０側で第２被ロック部５２とロックする。これにより、ｘ軸方向に沿って電線２２の一方側方に第１ロック部８２が位置すると共に、他方側方に第２ロック部８６が位置する。また、このため、第２ロック部８６は、第１ロック部８２よりも底壁部６０側で第２被ロック部５２とロックする。
【００５６】
第２被ロック部５２は、プロテクタ３０において第１被ロック部４２に対して電線２２を挟んで反対側に設けられている。第２被ロック部５２は、耐荷重壁部５０に貫通孔５４が形成されることによって設けられた引掛り部５３を含む。なお、貫通孔５４は、軸心方向が中空板材３２の主面に直交する方向と一致するように形成されているがこのことは必須ではない。貫通孔５４は、軸心方向が中空板材３２の主面に直交する方向と交差する方向、例えば、配設状態でｚ軸方向に沿う方向と一致するように形成されていてもよい。
【００５７】
第２ロック部８６のロック爪８８は、第２被ロック部５２の引掛り部５３に引っかかる。従って、ロック爪８８は、耐荷重壁部５０に対して介在部分３４の延在方向を横切りつつ介在部分３４の延在方向を含む方向に引っ掛かる。ここでは、ロック爪８８は、ｘ軸方向に突出しつつｚ軸方向に引っ掛かる。
【００５８】
上記のように、ロック爪８４（８８）が介在部分３４の延在方向を横切りつつ介在部分３４の延在方向を含む方向に引っ掛かるようなロック構造は、中空板材３２を留めるのに有効と考えられる。即ち、本実施形態では、荷重のかかる箇所に配設される電線と前記電線に外装されるプロテクタとを備えるプロテクタ付電線であって、プロテクタは、複数の板状部分と複数の板状部分の間で一方に延在するように配設されて複数の板状部分の間に中空空間を形成する介在部分とを含む中空板材が折り曲がった状態に形成されると共に電線を覆う壁部を複数備え、複数の壁部は、介在部分の延在方向が、荷重がかかる方向を含む方向に沿うように設けられた少なくとも１つの耐荷重壁部を含むようなプロテクタ付電線に適用されているものとして説明したが、これ以外の中空板材を用いたものに適用されてもよい。
【００５９】
つまり、ロック爪８４（８８）が設けられた第１の部材と、ロック爪８４（８８）が引っ掛かる引掛り部４３（５３）を含む第２の部材とを留めるのに上記ロック構造を適用することができる。この場合、第１の部材としては、第２の部材と別部材であってもよいし、同じ部材であってもよい。第１の部材と第２の部材とが別部材である例としては、上記と同様に、第２の部材がプロテクタであって第１の部材がプロテクタを固定する相手側部材であることが考えられる。また、第１の部材と第２の部材とが同じ部材である例としては、中空板材３２において筒状に折り曲げたものを維持すること等を目的として第１の部分を第２の部分に留める際に、第１の部分にロック爪８４（８８）を形成し、第２の部分に引掛り部４３（５３）を形成することが考えられる。
【００６０】
リブ９０は、第１リブ９２と第２リブ９４と第３リブ９６とを含む。
【００６１】
第１リブ９２は、第２面部７６からｚ軸方向に沿って延びるように設けられている。図１１に示すように、第１リブ９２は、第２面部７６のうちｘ軸方向に沿って第１ロック部８２と第２ロック部８６との間の部分に設けられている。図１２に示すように、第１リブ９２は、ｙ軸方向に沿って第１ロック部８２（第２ロック部８６）の両側に２つずつ設けられている。第１リブ９２は、先端面９２ａが耐荷重壁部５０の外面に応じた形状に形成され、耐荷重壁部５０のうち垂直壁部４０側を押えている。
【００６２】
第２リブ９４は、図１１に示すように、第１面部７４及び連結面部７８から内周側に広がるように設けられている。図１２に示すように、第２リブ９４は、ｙ軸方向に沿って第１リブ９２と同じ位置に設けられている。第２リブ９４は、ｚ軸方向に沿った先端面９４ａが耐荷重壁部５０の外面に応じた形状に形成され、耐荷重壁部５０の外面のうち底壁部６０側を押えている。第２リブ９４は、ｘ軸方向に沿った先端面９４ｂが第２ロック部８６の基部８７の内向きの面の位置まで張り出している。
【００６３】
第１リブ９２と第２リブ９４とは、プロテクタ３０を押えるように設けられている。これにより、耐荷重壁部５０が底壁部６０に対して底壁部６０から離れる方向に回動することが抑制され、プロテクタ３０が変形し難くなっている。なお、第１リブ９２と第２リブ９４とは、プロテクタ３０が規制部材７０に取付けられた状態で荷重がかかる前からプロテクタ３０と当接していてもよいし、荷重がかかってプロテクタ３０又は規制部材７０が僅かに変形して初めてプロテクタ３０に当接するものであってもよい。
【００６４】
第３リブ９６は、第２ロック部８６の基部８７の外向きの面と本体部７２とを連結するように設けられている。図１２に示すように、第３リブ９６は、第２ロック部８６のうちｙ軸方向に沿った両端側とその間の部分との３箇所に設けられている。第３リブ９６が設けられることによって、第２ロック部８６の剛性が向上している。
【００６５】
＜動作＞
プロテクタ付電線の配設構造１０に荷重がかかったときの動作について説明する。
【００６６】
規制部材７０の外面側（第２面部７６の外面側）にｚ軸方向に沿った荷重がかかると、その荷重は分散されて少なくとも一部がプロテクタ３０にかかる。ここでは、荷重の一部は、第２面部７６を介して垂直壁部４０にかかると共に、第１リブ９２及び第２リブ９４を介して耐荷重壁部５０にかかる。
【００６７】
このとき垂直壁部４０は、介在部分３４の延在方向が荷重のかかる方向と一致しているため、荷重がかかっても折れ曲がりにくい。この場合、垂直壁部４０は変形したとしても、中間部分が若干反るような変形に抑えられると考えられる。また、垂直壁部４０がｚ軸方向負の向きに変位した場合、第１被ロック部４２の引掛り部４３が第１ロック部８２のロック爪８４からｚ軸方向正の向きの反力を受ける。つまり、ロック爪８４がｚ軸方向に引っ掛かる。しかしながらこの方向は、介在部分３４の延在方向と一致しているため、垂直壁部４０のうち引掛り部４３に対してｚ軸方向正の側の部分が変形し難い。第２ロック部８６と第２被ロック部５２についても同様である。これに対して、仮に、介在部分３４がｙ軸方向に沿って延在していたとすると、垂直壁部４０のうち引掛り部４３に対してｚ軸方向正の側の部分の中間部分に介在部分３４が部分的に存在しない箇所が生じ、その箇所の板状部分３３に応力が集中して、曲がり易くなる。
【００６８】
また、耐荷重壁部５０は、介在部分３４の延在方向が荷重のかかる方向を含む方向に沿うため、荷重がかかっても折れ曲がりにくい。さらに、耐荷重壁部５０において荷重がかかる場所が、底壁部６０側に近い場所と垂直壁部４０側に近い場所とであるため、耐荷重壁部５０が底壁部６０及び垂直壁部４０に支持されることによって耐荷重壁部５０は折れ曲がりにくい。この場合、耐荷重壁部５０は変形したとしても、中間部分が若干反るような変形に抑えられると考えられる。
【００６９】
また、垂直壁部及び耐荷重壁部５０が底壁部６０との連結部分周りに回動するような変形に対しては、２つのロック部８０で挟み込むことで抑えることができる。特に、耐荷重壁部５０が底壁部６０との連結部分周りに底壁部６０に近づく向きに回動するような変形に対しては、第１ロック部８２の基部８３が垂直壁部４０の外面を押えていることによって効果的に抑えることができる。また、耐荷重壁部５０が底壁部６０との連結部分周りに底壁部６０から遠ざかる向きに回動するような変形に対しては、第１リブ９２と第２リブ９４とが耐荷重壁部５０の外面を押えていることによって効果的に抑えることができる。
【００７０】
本実施形態に係るプロテクタ付電線２０及びその配設構造１０によると、耐荷重壁部４０、５０において介在部分３４の延在方向が、荷重がかかる方向を含む方向に沿うため、荷重がかかった場合でも耐荷重壁部４０、５０が潰れにくくなることによって、プロテクタ３０が潰れにくくなる。
【００７１】
また、互いに平行でない２つの耐荷重壁部４０、５０によって荷重を支えることができる。特に、プロテクタ３０は三角筒状に形成されているため、荷重がかかった場合でも耐荷重壁部４０、５０が回動するような変形が生じにくくなることによって、プロテクタ３０がつぶれにくくなる。
【００７２】
第１ロック部８２と第１被ロック部４２とがロックすることによって、垂直壁部４０が第１ロック部８２に支持される。このため、荷重がかかった場合でも垂直壁部４０がよりつぶれにくくなる。第１被ロック部４２が、第１ロック部８２のロック爪８４が垂直壁部４０に対して介在部分３４の延在方向を横切りつつ介在部分３４の延在方向に引っ掛かるように形成された引掛り部４３を含むため、第１ロック部８２と第１被ロック部４２とをロックしてもロックにかかる力によってプロテクタ３０が変形することが抑制される。より詳細には、第１ロック部８２と第１被ロック部４２とをロックした状態で、ロックのかかる方向に力が加わった場合でも、当該力のかかる方向に介在部分が延在しているため、垂直壁部４０において当該力のかかる方向に沿って同一断面が連続することによって垂直壁部４０の中間部分に応力が集中しにくくなり、垂直壁部４０が途中で折れ曲がることが抑制される。
【００７３】
第１ロック部８２と第１被ロック部４２とがロックすると共に、第２ロック部８６と第２被ロック部５２とがロックすることによって、プロテクタ３０が第１ロック部８２と第２ロック部８６とに挟み込まれる。このため、荷重がかかった場合でもプロテクタ３０が変形し難くなる。
【００７４】
垂直壁部４０において介在部分３４の延在方向が、荷重がかかる方向と一致するように設けられているため、荷重がかかった場合でも垂直壁部４０はつぶれにくい。
【００７５】
垂直壁部４０は、中空板材３２が２重に設けられている部分を含むため、荷重がかかった場合でも垂直壁部４０がよりつぶれにくくなる。
【００７６】
｛変形例｝
実施形態において、プロテクタ３０が三角筒状に形成されているものとして説明したがこのことは必須ではない。プロテクタ３０は、四角筒状など他の筒形状に形成されていてもよい。プロテクタが四角筒状に形成される場合、直角を含む台形状に形成され、両端に位置する角が直角の辺に相当する壁部が垂直壁部とされることが考えられる。プロテクタが直角を含む台形状に形成される場合、平行な一対の辺のうち少なくとも一方の辺を構成する壁部の外側に当該壁部に沿った支持面が設けられるとよい。もっとも、プロテクタ３０は、Ｌ字状又はＵ字状等、筒状以外の形状に形成されることも考えられる。
【００７７】
また、実施形態において、プロテクタ付電線の配設構造１０が規制部材７０を備えるものとして説明したが、このことは必須ではない。規制部材が設けられずに、プロテクタ付電線２０がそのまま配設されることもあり得る。
【００７８】
なお、上記実施形態及び各変形例で説明した各構成は、相互に矛盾しない限り適宜組み合わせることができる。
【００７９】
以上のようにこの発明は詳細に説明されたが、上記した説明は、すべての局面において、例示であって、この発明がそれに限定されるものではない。例示されていない無数の変形例が、この発明の範囲から外れることなく想定され得るものと解される。
【符号の説明】
【００８０】
１０  プロテクタ付電線の配設構造
２０  プロテクタ付電線
２２  電線
３０  プロテクタ
３２  中空板材
３３  板状部分
３４  介在部分
３６  壁部
４０  垂直壁部（耐荷重壁部）
４２  第１被ロック部
４３  引掛り部
５０  耐荷重壁部
５２  第２被ロック部
５３  引掛り部
６０  底壁部
７０  取付用部材
７２  本体部
８２  第１ロック部
８３  基部
８４  ロック爪
８６  第２ロック部
８７  基部
８８  ロック爪
９２  第１リブ
９４  第２リブ
９６  第３リブ
Ｌ  折り目
【図１】
0006508074.tif 000002
【図２】
0006508074.tif 000003
【図３】
0006508074.tif 000004
【図４】
0006508074.tif 000005
【図５】
0006508074.tif 000006
【図６】
0006508074.tif 000007
【図７】
0006508074.tif 000008
【図８】
0006508074.tif 000009
【図９】
0006508074.tif 000010
【図１０】
0006508074.tif 000011
【図１１】
0006508074.tif 000012
【図１２】
0006508074.tif 000013
【図１３】
0006508074.tif 000014